(57)【特許請求の範囲】
【請求項１】
筐体の上面に設けた光を透過する材料で形成された板状部材のトッププレートと、前記筐体の前記トッププレート上面に載置された被加熱物を加熱するため前記筐体内部に設けられた加熱部と、前記トッププレートに設けられ下面に操作する機能を表示する文字、記号または絵文字が導電体を切り抜いた切り抜き部が形成された操作キーを設けた操作領域と、前記操作領域の下方において前記操作キーと対向する発光部及び前記発光部の端部で折り曲がり下方に延長され端面に光入射部が形成される導光部を有する導光板と、前記光入射部から白色光を入射する光源と、前記発光部の下方で前記発光部に対向して設けられる反射層と、前記操作領域の前記トッププレート下面に設けられ、前記導光板が消灯した時は前記操作キーが見えにくくなり、且つ前記導光板が点灯した時は前記切り抜き部を前記導光板の光が通過して前記切り抜き部が上から視認できる第１着色層と、を備え、透過する光のうち特定の波長域を通過させ特定の波長域を阻止する第２着色層を前記操作領域の下方において前記トッププレート下面の前記第１着色層から隙間を設けた前記発光部と前記反射層の間に設けて、前記第２着色層がない場合の白色光と異なり、前記発光部の上方に放射した白色光に加えて前記発光部の下方に放射した白色光が前記反射層で反射し前記第２着色層を通過する特定の波長域の色の光が前記切り抜き部を通過する構成とした加熱調理器の操作装置。
【請求項２】
着色された薄膜の透過性樹脂で形成された前記第２着色層の上面に粘着層を設けて、前記第２着色層を前記導光板の下面に貼り付けた請求項１に記載の加熱調理器の操作装置。
【請求項３】
加熱開始機能を有する前記操作キーに設けられた第２着色層は、他の前記操作キーに設けられた第２着色層と色が異なるように構成した請求項１または２に記載の加熱調理器の操作装置。
【請求項４】
加熱停止機能を有する前記操作キーに設けられた第２着色層は、他の前記操作キーに設けられた第２着色層と色が異なるように構成した請求項１または２に記載の加熱調理器の操作装置。
【請求項５】
加熱開始機能を有する前記操作キーのみ前記第２着色層を設け、他の前記操作キーは前記第２着色層を設けない請求項１または２に記載の加熱調理器の操作装置。
【請求項６】
加熱停止機能を有する前記操作キーのみ前記第２着色層を設け、他の前記操作キーは前記第２着色層を設けない請求項１または２に記載の加熱調理器の操作装置。
【発明の詳細な説明】
【技術分野】
【０００１】
本発明は、加熱調理器の操作を行う操作装置に関するものである。
【背景技術】
【０００２】
従来、この種の加熱調理器は、筐体の上面に設けた光を透過する材料で形成された板状部材のトッププレートと、前記筐体の上面に載置された被加熱物を加熱するため前記筐体内部に設けられた加熱部と、前記トッププレートに設けられ下面に操作する機能を表示する文字、記号または絵文字が導電体を切り抜いた切り抜き部が形成された操作キーを設けた操作領域と、前記操作領域の下方において前記操作キーと対向する発光部及び前記発光部の端部で折り曲がり下方に延長され端面に光入射部が形成される導光部を有する導光板と、前記光入射部から光を入射する光源と、前記発光部の下方で前記発光部に対向して設けられる反射層と、前記操作領域に設けられ前記導光板が消灯した時は前記操作キーが見えにくくなり点灯した時は前記切り抜き部を前記導光板の光が通過して前記切り抜き部が上から視認できるようにするための着色層から構成され、使用者に一目で操作可能な操作キーのみを知らしめるようにしている（例えば、特許文献１参照）。
【先行技術文献】
【特許文献】
【０００３】
【特許文献１】国際公開第２００８／１４９５６０号
【発明の概要】
【発明が解決しようとする課題】
【０００４】
しかしながら、前記従来の構成では、折り曲げた導光板の中に光を入射するので導光部の光入射部から入射された光の一部が導光部の上端で発光部の方向へ屈折できずに導光板から外へ放射されてしまうため、折り曲げない導光板に比べ発光部での光量が少なくなることと、切り抜き部の上方に第１着色層を設けることで発光部から発光されて切り抜き部を通過した光の一部が第１着色層で吸収及び反射することにより、第１着色層がない場合に比べトッププレートの上面へ通過する光量が少なくなる。
【０００５】
したがって、トッププレートと発光部の間に透過する光のうち特定の波長域を通過させ特定の波長域を阻止する第２の着色層を設けて特定の機能を有する操作キーの色だけを、その他の操作キーと異なる色に表示しようとしたときに使用者の視認性が損なわれてしまうという課題を有していた。
【０００６】
本発明は、前記従来の課題を解決するもので、使用者の視認性および第２着色層の耐久性を損なうことなく、特定の機能を有する操作キーの色だけを、その他の操作キーと異なる色に表示させることを可能とした加熱調理器を提供することを目的とする。
【課題を解決するための手段】
【０００７】
前記従来の課題を解決する為に、本発明の加熱調理器の操作装置は、筐体の上面に設けた光を透過する材料で形成された板状部材のトッププレートと、前記筐体の前記トッププレート上面に載置された被加熱物を加熱するため前記筐体内部に設けられた加熱部と、前記トッププレートに設けられ下面に操作する機能を表示する文字、記号または絵文字が導電体を切り抜いた切り抜き部が形成された操作キーを設けた操作領域と、前記操作領域の下方において前記操作キーと対向する発光部及び前記発光部の端部で折り曲がり下方に延長され端面に光入射部が形成される導光部を有する導光板と、前記光入射部から白色光を入射する光源と、前記発光部の下方で前記発光部に対向して設けられる反射層と、前記操作領域の前記トッププレート下面に設けられ、前記導光板が消灯した時は前記操作キーが見えにくくなり、且つ、前記導光板が点灯した時は前記切り抜き部を前記導光板の光が通過して前記切り抜き部が上から視認できる第１着色層と、を備え、透過する光のうち特定の波長域を通過させ特定の波長域を阻止する第２着色層を前記操作領域の下方において前記トッププレート下面の前記第１着色層から隙間を設けた前記発光部と前記反射層の間に設けて、前記第２着色層がない場合の白色光と異なり、前記発光部の上方に放射した白色光に加えて前記発光部の下方に放射した白色光が前記反射層で反射し前記第２着色層を通過する特定の波長域の色の光が前記切り抜き部を通過する構成としたものである。
【０００８】
これによって、前記発光部から直接上方の前記トッププレートを通過する光の光量を変えることなく、前記発光部から下方の前記反射層を反射してから前記第２着色層及び前記発光部及び前記トッププレートを通過する光のみ特定の波長域を阻止することにより、前記第２着色層を前記発光部の上方に設けるのに比べ前記トッププレートを通過する光量を
多くしつつ、前記トッププレートを通過する光の一部において特定の波長域を阻止することになり、任意の操作キーの色だけを、その他の操作キーと異なる色に表示することが可能となる。
【０００９】
さらに、前記被加熱物が前記操作領域における前記トッププレート上面に載置された場合に前記被加熱物から前記第２着色層へ伝わる熱は、前記第１着色層から前記導光板に伝わる際と前記導光板の内部を伝わる際と前記導光板から前記第２着色層へ伝わる際に熱抵抗で減少することにより、前記第２着色層を前記発光部の上方に設けるのに比べ、前記第２着色層の温度上昇を抑制することも可能となる。
【発明の効果】
【００１０】
本発明の加熱調理器の操作装置は、使用者の視認性および第２着色層の温度上昇を抑制し耐久性を損なうことなく、特定の機能を有する操作キーの色だけを、その他の操作キーと異なる色に表示させることが出来る。
【図面の簡単な説明】
【００１１】
【図１】本発明の実施の形態１における加熱調理器の平面図
【図２】本発明の実施の形態１における加熱調理器の断面図
【図３】本発明の実施の形態１における加熱調理器の操作領域近傍を示す要部拡大平面図
【図４】本発明の実施の形態１における加熱調理器の操作領域近傍を示す要部拡大断面図
【図５】本発明の実施の形態２〜６における加熱調理器の操作領域近傍を示す要部拡大断面図
【図６】本発明の実施の形態３および５における加熱調理器の操作領域近傍を示す要部拡大平面図
【図７】本発明の実施の形態４および６における加熱調理器の操作領域近傍を示す要部拡大平面図
【発明を実施するための形態】
【００１２】
第１の発明は、筐体の上面に設けた光を透過する材料で形成された板状部材のトッププレートと、前記筐体の前記トッププレート上面に載置された被加熱物を加熱するため前記筐体内部に設けられた加熱部と、前記トッププレートに設けられ下面に操作する機能を表示する文字、記号または絵文字が導電体を切り抜いた切り抜き部が形成された操作キーを設けた操作領域と、前記操作領域の下方において前記操作キーと対向する発光部及び前記発光部の端部で折り曲がり下方に延長され端面に光入射部が形成される導光部を有する導光板と、前記光入射部から白色光を入射する光源と、前記発光部の下方で前記発光部に対向して設けられる反射層と、前記操作領域の前記トッププレート下面に設けられ、前記導光板が消灯した時は前記操作キーが見えにくくなり、且つ、前記導光板が点灯した時は前記切り抜き部を前記導光板の光が通過して前記切り抜き部が上から視認できる第１着色層と、を備え、透過する光のうち特定の波長域を通過させ特定の波長域を阻止する第２着色層を前記操作領域の下方において前記トッププレート下面の前記第１着色層から隙間を設けた前記発光部と前記反射層の間に設けて、前記第２着色層がない場合の白色光と異なり、前記発光部の上方に放射した白色光に加えて前記発光部の下方に放射した白色光が前記反射層で反射し前記第２着色層を通過する特定の波長域の色の光が前記切り抜き部を通過する構成としたものである。
【００１３】
これによって、前記発光部から下方に反射することなく直接上方の前記トッププレートを通過する光の光量を変えることなく、前記発光部から下方の前記反射層を反射してから前記第２着色層及び前記発光部及び前記トッププレートを通過する光のみ特定の波長域を阻止することにより、前記第２着色層を前記発光部の上方に設けるのに比べ前記トッププレートを通過する光量を多くしつつ、前記トッププレートを通過する光の一部において特定の波長域を阻止することになり、任意の操作キーの色だけを、その他の操作キーと異なる色に表示することが可能となる。
【００１４】
さらに、前記被加熱物が前記操作領域における前記トッププレート上面に載置された場合に前記被加熱物から前記第２着色層へ伝わる熱は、前記第１着色層から前記導光板に伝わる際と前記導光板の内部を伝わる際と前記導光板から前記第２着色層へ伝わる際に熱抵抗で減少することにより、前記第２着色層を前記発光部の上方に設けるのに比べ、前記第２着色層の温度上昇を抑制することができる。
【００１５】
第２の発明は、特に、第１の発明において、着色された薄膜の透過性樹脂で形成された前記第２着色層の上面に粘着層を設けて、前記第２着色層を前記導光板の下面に貼り付ける構成としたことにより、前記粘着層記がない場合と比べ前記第２着色層の位置決めが容易になり、第２着色層の面積を最小にすることができる。
【００１６】
第３の発明は、特に、第１または第２の発明において、加熱開始機能を有する前記操作キーに設けられた第２着色層は、他の前記操作キーに設けられた第２着色層と色が異なるように構成したことにより、使用者が加熱開始時に複数の操作キーの中から加熱開始機能を有する操作キーを探すことが容易になり、操作性を向上することができる。
【００１７】
第４の発明は、特に、第１または第２の発明において、加熱停止機能を有する前記操作キーに設けられた第２着色層は、他の前記操作キーに設けられた第２着色層と色が異なる
ように構成したことにより、使用者が加熱停止時に複数の操作キーの中から加熱停止機能を有する操作キーを探すことが容易になり、操作性を向上することができる。
【００１８】
第５の発明は、特に、第１または第２の発明において、加熱開始機能を有する前記操作キーのみ前記第２着色層を設け、他の前記操作キーは前記第２着色層を設けない構成としたことにより、使用者が加熱開始時に複数の操作キーの中から加熱開始機能を有する操作キーを探すことが容易になり、操作性が向上することになる。また、前記操作キーの全てに前記第２着色層を設けることに比べ、材料費を削減することが出来る。
【００１９】
第６の発明は、特に、第１または第２の発明において、加熱停止機能を有する前記操作キーのみ前記第２着色層を設け、他の前記操作キーは前記第２着色層を設けない構成としたことにより、使用者が加熱停止時に複数の操作キーの中から加熱停止機能を有する操作キーを探すことが容易になり、操作性が向上することになる。また、前記操作キーの全てに前記第２着色層を設けることに比べ、材料費を削減することが出来る。
【００２０】
以下、本発明の実施の形態について、図面を参照しながら説明する。なお、この実施の形態によって本発明が限定されるものではない。
【００２１】
（実施の形態１）
図１は本発明の第１の実施の形態における加熱調理器の平面図、図２は本発明の第１の実施の形態１における加熱調理器の断面図、図３は本発明の第１の実施の形態における加熱調理器の操作領域近傍を示す要部拡大平面図、図４は本発明の第１の実施の形態における加熱調理器の操作領域近傍を示す要部拡大断面図、図５は本発明の第２〜６における加熱調理器の操作領域近傍を示す要部拡大断面図、図６は本発明の第３および第５の実施の形態における加熱調理器の操作領域近傍を示す要部拡大平面図である。
【００２２】
図１、図２、図３および図４において、筐体３０の上面に設けた光を透過する材料で形成された板状部材のトッププレート３２と、筐体３０の上面に載置された被加熱物３４を加熱するための筐体３０内部に設けられた加熱部３６と、トッププレート３２に設けられ下面に操作する機能を表示する文字、記号または絵文字が導電体を切り抜いた切り抜き部３８が形成された操作キー４０を設けた操作領域４２と、操作領域の下方において操作キ
ー４０と対向する発光部４４及び発光部４４の端部で折り曲がり下方に延長され端面に光入射部４６が形成される導光部４８を有する導光板５０と、光入射部４６から白色光を入射する光源５２と、発光部４４の下方で発光部４４に対向して設けられる反射層５４と、操作領域４２に設けられ導光板５０が消灯した時は操作キー４０が見えにくくなり点灯した時は切り抜き部３８を導光板５０の光が通過して切り抜き部３８が上から視認できるようにするための第１着色層５６とを備え、発光部４４と反射層５４の間に透過する白色光のうち特定の波長域を通過させ特定の波長域を阻止する黄色の第２着色層５８を設けて、黄色の光が切り抜き部３８を通過する構成としている。
【００２３】
以上のように構成された加熱調理器の操作装置について、以下その動作、作用を説明する。
【００２４】
まず、光源５２から導光板５０の光入射部４６に入射された白色光は、導光板５０の導光部４８の内部を屈折しながら進み、導光部４８の上端に達した後に発光部４４へと屈折し、発光部４４の内部を屈折しながら進む。
【００２５】
そして、操作キー４０の下方まで到達した白色光は発光部４４の外部の上方と下方にそれぞれ放射され、上方に放射された白色光は、光源と同じ白色のまま切り抜き部３８を通過し、下方に放射された白色光は、黄色の第２着色層５８を通過する際に一部の波長域が阻止され、黄色光が発光部４４及び切り抜き部３８を通過する。
【００２６】
一方、黄色の第２着色層５８を切り抜き部３８と発光部４４の間に設けることで、黄色光が切り抜き部３８を通過するようにする構成も考えられるが、その場合はトッププレート３２と第２着色層５８の距離が近くなる為、被加熱物３４が操作領域４２におけるトッププレート３２の上面に載置された場合に被加熱物３４から第２着色層５８へ伝わる熱量が大きくなり、第２着色層５８には高い耐熱性が要求されてしまう。
【００２７】
しかし、本実施の形態においては、第２着色層５８を導光板５０より下方に設ける構成としている為、導光板５０が断熱材の役割も果たすことになるのに加え、熱が第１着色層５６から導光板５０に伝わる際と導光板５０から第２着色層５８へ伝わる際にそれぞれ接触熱抵抗で減少することにより、第２着色層５８には高い耐熱性は要求されない。
【００２８】
以上のように、本実施の形態においては、発光部４４から下方に反射することなく直接、上方のトッププレート３２を通過する光の光量を変えることなく、発光部４４から下方の反射層５４を反射してから第２着色層５８及び発光部４４及びトッププレート３２を通過する光のみ特定の波長域を阻止することにより、第２着色層５８を発光部４４の上方に設けるのに比べトッププレート３２を通過する光量を多くしつつ、トッププレート３２を通過する光の一部において特定の波長域を阻止することになり、任意の操作キー４０の色だけを、その他の操作キーと異なる色に表示することが可能となる。
【００２９】
さらに、被加熱物３４が操作領域４２におけるトッププレート３２の上面に載置された場合に被加熱物３４から第２着色層５８へ伝わる熱は、第１着色層５６から導光板５０に伝わる際と導光板５０の内部を伝わる際と導光板５０から第２着色層５８へ伝わる際にそれぞれ熱抵抗で減少することにより、第２着色層５８を発光部４４の上方に設けるのに比べ、第２着色層５８の温度上昇を抑制することも可能となる。
【００３０】
（実施の形態２）
図５は、本発明の第２の実施の形態における加熱調理器の操作領域近傍を示す要部拡大断面図を示すものである。
【００３１】
図５において、第２着色層５８を黄色に着色された薄膜の透過性樹脂で形成し、さらに上面に粘着層６０を設けて、導光板５０の下面に貼り付ける構成としている。
【００３２】
以上のように構成された加熱調理器の操作装置について、以下その動作、作用を説明する。
【００３３】
この構成によって、粘着層６０がない場合と比べ第２着色層５８の位置決めが容易になり、第２着色層５８の面積を最小にすることができる。
【００３４】
（実施の形態３）
図５は、本発明の第３の実施の形態における加熱調理器の操作領域近傍を示す要部拡大断面図、図６は、本発明の第３の実施の形態における加熱調理器の操作領域近傍を示す要部拡大平面図を示すものである。
【００３５】
図５、図６において、加熱開始機能を有する操作キー６２は、その他の操作キー６４に設けられた第２着色層５８と色の異なる第２着色層５８を設ける構成としている。
【００３６】
以上のように構成された加熱調理器の操作装置について、以下その動作、作用を説明する。
【００３７】
この構成によって、使用者が加熱開始時に複数の操作キーの中から加熱開始機能を有する操作キー６２を探すことが容易になり、操作性が向上することになる。
【００３８】
（実施の形態４）
図５は、本発明の第４の実施の形態における加熱調理器の操作領域近傍を示す要部拡大断面図、図７は、本発明の第４の実施の形態における加熱調理器の要部拡大平面図を示すものである。
【００３９】
図５、図７において、加熱停止機能を有する操作キー６６は、その他の操作キー６４に設けられた第２着色層５８と色の異なる第２着色層５８を設ける構成としている。
【００４０】
以上のように構成された加熱調理器の操作装置について、以下その動作、作用を説明する。
【００４１】
この構成によって、使用者が加熱停止時に複数の操作キーの中から加熱停止機能を有する操作キー６６を探すことが容易になり、操作性が向上することになる。
【００４２】
（実施の形態５）
図５は、本発明の第５の実施の形態における加熱調理器の操作領域近傍を示す要部拡大断面図、図６は、本発明の第５の実施の形態における加熱調理器の要部拡大平面図を示すものである。
【００４３】
図５、図６において、加熱開始機能を有する操作キー６２のみ第２着色層５８を設け、他の操作キーは第２着色層５８を設けない構成としている。
【００４４】
以上のように構成された加熱調理器の操作装置について、以下その動作、作用を説明する。
【００４５】
この構成によって、使用者が加熱開始時に複数の操作キーの中から加熱開始機能を有する操作キー６２を探すことが容易になり、操作性が向上することになる。また、全ての操
作キーに第２着色層を設けることに比べ、材料費を削減することが出来る。
【００４６】
（実施の形態６）
図５は、本発明の第６の実施の形態における加熱調理器の操作領域近傍を示す要部拡大断面図、図７は、本発明の第６の実施の形態における加熱調理器の要部拡大平面図を示すものである。
【００４７】
図５、図７において、加熱停止機能を有する操作キー６６のみ第２着色層５８を設け、他の操作キーは第２着色層５８を設けない構成としている。
【００４８】
以上のように構成された加熱調理器の操作装置について、以下その動作、作用を説明する。
【００４９】
この構成によって、使用者が加熱停止時に複数の操作キーの中から加熱停止機能を有する操作キー６６を探すことが容易になり、操作性が向上することになる。また、操作キーの全てに第２着色層を設けることに比べ、材料費を削減することが出来る。
【産業上の利用可能性】
【００５０】
以上のように、本発明にかかる加熱調理器の操作装置は、操作キーの視認性および耐久性の向上が図れ、デザイン性および使い勝手の大幅な向上を図ることが出来るので、トッププレートに操作領域を有する誘導加熱式、ハロゲン式、ラジエント式、及びガス式ヒーターを含むあらゆる組み合わせの単体もしくは複合の調理器に有効である。
【符号の説明】
【００５１】
３０  筐体
３２  トッププレート
３４  被加熱物
３６  加熱部
３８  切り抜き部
４０  操作キー
４２  操作領域
４４  発光部
４６  光入射部
４８  導光部
５０  導光板
５２  光源
５４  反射層
５６  第１着色層
５８  第２着色層
６０  粘着層
６２  加熱開始機能を有する操作キー
６４  その他の操作キー
６６  加熱停止機能を有する操作キー
【図１】
0005601086.tif 000002
【図２】
0005601086.tif 000003
【図３】
0005601086.tif 000004
【図４】
0005601086.tif 000005
【図５】
0005601086.tif 000006
【図６】
0005601086.tif 000007
【図７】
0005601086.tif 000008